(57)【要約】【課題】多数の鍵を収納して保管したり、持ち運びをするためのキーボックスに関して、持ち運びのときに、収納された鍵がキーボックスの内部で揺れ動くことがなく、鍵同士がぶつかってキーボックス内部や鍵が破損したり、雑音を生じることがないキーボックスを提供する。【解決手段】上記の課題を解決するため、一対の挟持片と、一対の挟持片同士を離間させる力に抗し得るように配置された弾性体と、を備え、一対の挟持片の間に鍵部を挟持させるようにしたキーボックスを構成した。【選択図】　　　　図１
2004084232.tif 000002
【特許請求の範囲】
【請求項１】
一対の挟持片と、
一対の挟持片同士を離間させる力に抗し得るように配置された弾性体と、を備え、
一対の挟持片の間に鍵部を挟持させるようにしたキーボックス。
【請求項２】
一対の挟持片と、
一対の挟持片同士を離間させる力に抗し得るように配置された弾性体と、を備え、
一対の挟持片の少なくとも何れか一方には、鍵部の挿入方向に沿って鍵部を案内し得る凹部が形成され、
一対の挟持片の間に鍵部を挟持させるようにしたキーボックス。
【請求項３】
複数の容部と、
容部内に収容された一対の挟持片と、
容部内に収容され、一対の挟持片同士を離間させる力に抗し得るように配置された弾性体と、
容部を覆うとともに、一対の挟持片が当接する部分の少なくとも一部を露出させる孔が形成されたカバーと、を備え、
前記孔より鍵部を挿入し、一対の挟持片の間に鍵部を挟持させるようにしたキーボックス。
【発明の詳細な説明】
【０００１】
【発明の属する技術分野】
本発明は、鍵を収納保管するためのキーボックスに関するものである。
【０００２】
【従来技術】
従来より、ビル等の建物の鍵を保管するために、ケース内に複数のフックを設けて、複数の鍵をかけておくことができるようにしたキーボックスが知られている。
【０００３】
【発明が解決しようとする課題】
従来のキーボックスは、内部に鍵を吊り下げておく構造であるため、持ち運びの際に、鍵同士がぶつかることによって不快な雑音を生じる。また、鍵同士がぶつかることによって、鍵やキーボックス内部が破損するおそれがある。
【０００４】
【課題を解決するための手段】
本発明は、一対の挟持片と、一対の挟持片同士を離間させる力に抗し得るように配置された弾性体と、を備え、一対の挟持片の間に鍵部を挟持させるようにしたキーボックスである。
【０００５】
本発明は、一対の挟持片と、一対の挟持片同士を離間させる力に抗し得るように配置された弾性体と、を備え、一対の挟持片の少なくとも何れか一方には、鍵部の挿入方向に沿って、鍵部を案内し得る凹部が形成され、一対の挟持片の間に鍵部を挟持させるようにしたキーボックスである。
【０００６】
本発明は、複数の容部と、容部内に収容された一対の挟持片と、容部内に収容され、一対の挟持片同士を離間させる力に抗し得るように配置された弾性体と、容部を覆うとともに、一対の挟持片が当接する部分の少なくとも一部を露出させる孔が形成されたカバーと、を備え、前記孔より鍵部を挿入し、一対の挟持片の間に鍵部を挟持させるようにしたキーボックスである。
【０００７】
【発明の実施の形態】
図１は、本発明のキーボックス１の斜視図であり、蓋を開けた状態を示している。キーボックス１内には孔３が形成されたカバー４が配置されている。鍵部２ｂを孔３に差し込むと、後述する構造により鍵部２ｂが挟持されるため、キーボックス１内には頭部２ａが露出した状態で鍵が保持される。キーボックス１の裏蓋５には建物の図が描かれており、鍵の頭部２ａに付した番号などの記号（図示せず）を、裏蓋５の該当する箇所に付しておけば、鍵を使用する位置を特定するのに便利である。建物の図のほか、部屋番号や、自動車のナンバーなどを記載してもよく、どの鍵が何処に用いられるのか特定できれば、その形式は問わない。
【０００８】
図２は、キーボックス１を平面からみた一部であり、カバー４の一部を切り欠いた図である。図３は、図２のＡ−Ａ断面図であり、鍵が挿入されている状態を示す。キーボックス１内は、仕切り９によって区画することにより、容部１３が複数形成されている。各容部１３内には、挟持片６ａ，６ｂが収容されている。挟持片６ａ，６ｂは木製の薄板であり、その側辺側には凹部８ａ，８ｂが形成されている。また、挟持片６ａ，６ｂを挟むようにゴムスポンジなどのクッション材７ａ，７ｂが収納されている。クッション材７ａ，７ｂは、挟持片６ａ，６ｂ同士を離間させる力（鍵部２ｂが挿入されることにより発生する）が働いた場合に、それに抗し得るように機能する。クッション材としては、ゴムスポンジの他、板ばね、コイルばね、など、弾性体であれば利用できるが、鍵を好適に挟持させるためには、挟持片６ａ，６ｂ同士が当接する面の全域において略均一な弾性力を発揮する本実施例のようなものであることが望ましい。
【０００９】
各容部１３はカバー４により覆われている。カバー４は短冊状の薄板であり、孔３が形成されている。孔３は、容部１３内に収容された挟持片６ａ，６ｂが当接する部分の一部（本例では凹部８ａ，８ｂ）が露出するように形成されている。鍵の鍵部２ｂを孔３に通して挟持片６ａ，６ｂの間に挿入すると、クッション材７ａ，７ｂにより、鍵部２ｂは適度な圧力をもって保持されるため、例えば、逆さまにした程度では抜け落ちることがない。本実施例では上下方向に抜き差しする例を示したが、垂直の壁面に対して抜き差しするようにしてもよい。鍵部２ｂの先が凹部８ａ，８ｂに案内されるため、鍵部２ｂの挿入も円滑に行なうことができる。
【００１０】
図４は、カバー４の取り付け構造を示し、キーボックス１を平面から見た一部断面図であり、図５Ｂ−Ｂの断面の一部である。キーボックス１内は仕切り９により区画されている。各容部１３内に収容されている挟持片６ａ，６ｂなどは省略している。キーボックス１内にはカバー４をスライドさせるためのスライド溝１２ａが形成されている。スライド溝１２ａの一部には凹室１１が形成されており、凹室１１内には板ばね１０が設けられている。
【００１１】
図５は、カバー４の取り付けの構造を示す図であり、本発明のキーボックスを側面から見た一部断面図であり、図４Ｃ−Ｃの断面の一部である。キーボックス１内の上部には、カバー４をスライドさせるためのスライド溝１２ａが形成されており、スライド溝１２ａの一部に形成された凹室１１及び凹室１１内の板ばね１０が図示されている。
【００１２】
図６から図８は、カバー４を取外す際の様子を示している。図示の如く、キーボックス１の内側にはスライド溝１２ａ，１２ｂが形成されており、スライド溝１２ａ，１２ｂ内にはカバー４が収まっている。凹室１１及び板ばね１０は、スライド溝１２ａの側にのみ設けられている。カバー４を取外す際には、先ず、図６に示すように、凹室１１の形成箇所に配置されたカバー４を、矢印に示すように、板ばね１０に抗する方向にスライドさせる。すると、図７に示すように、カバー４の一端４ｂの端部は、板ばね１０に抗して凹室１１内に入り込み、一方、カバー４の他端４ａがスライド溝１２ｂから外れるので、この他端４ａを持ち上げることで、カバー４を外すことができる。次に、図８のように、他のカバー４を、凹室１１の位置までスライドさせ、以上の動作を行なうことで、他のカバー４を外すことができる。カバー４を取り付ける際は、以上の動作を逆の手順で行なえばよい。カバー４を取外し可能にしたため、デザインを容易に変更することができたり、カバー４や、挟持片、クッション材などを、破損や摩耗などで交換する際にも便利である。
【００１３】
なお、本例において、カバー４は短冊状として、容部１３を一列毎に覆う構造としたが、各容部１３を個別に覆ってもよく、全ての容部１３を覆う構造にしても良い。
【００１４】
【発明の効果】
本発明によれば、キーボックスを持ち運ぶときに、収納された鍵同士がぶつかり合うことがない。
【図面の簡単な説明】
【図１】本発明のキーボックスの一例の斜視図。
【図２】本発明のキーボックスの平面図の一部であり、カバー４を一部切り欠いた図。
【図３】図２Ａ−Ａの断面の一部を示す。
【図４】本発明のキーボックスの平面から見た一部断面図であり、図５Ｂ−Ｂの断面の一部。
【図５】本発明のキーボックスの側面から見た一部断面図であり、図４Ｃ−Ｃの断面の一部。
【図６】カバー４の取外し方を示す説明図。
【図７】カバー４の取外し方を示す説明図。
【図８】カバー４の取外し方を示す説明図。
【符号の説明】
１　キーボックス
２ａ　頭部
２ｂ　鍵部
３　孔
４　カバー
５　裏蓋
６ａ，６ｂ　挟持片
７ａ，７ｂ　クッション材
８ａ，８ｂ　凹部
９　仕切り
１０　板ばね
１１　凹室
１２ａ，１２ｂ　スライド溝
１３　容部
【図１】
2004084232.tif 000003
【図２】
2004084232.tif 000004
【図３】
2004084232.tif 000005
【図４】
2004084232.tif 000006
【図５】
2004084232.tif 000007
【図６】
2004084232.tif 000008
【図７】
2004084232.tif 000009
【図８】
2004084232.tif 000010